(57)【要約】【課題】容器本体と蓋板とが溶接により接合された容器を備える蓄電素子であって、品質が高い蓄電素子を製造するための製造方法を提供すること。【解決手段】容器本体１０１及び蓋板１１０を有する容器１００を備える蓄電素子１０の製造方法であって、所定方向に向けて凸のアーチ状の蓋板１１０を、容器本体１０１の開口１０２に対して、所定方向から押さえることで、蓋板１１０を押し広げる押さえ工程と、押さえ工程において押し広げられた蓋板１１０と、容器本体１０１とを溶接する溶接工程とを含む。【選択図】図５
2017191683.tif 000002
【特許請求の範囲】
【請求項１】
容器本体及び蓋板を有する容器を備える蓄電素子の製造方法であって、
所定方向に向けて凸のアーチ状の蓋板を、前記容器本体の開口に対して、前記所定方向から押さえることで、前記蓋板を押し広げる押さえ工程と、
前記押さえ工程において押し広げられた蓋板と、前記容器本体とを溶接する溶接工程と
を含む蓄電素子の製造方法。
【請求項２】
前記蓋板には、長手方向の両端部の間の部分である中間部にガス排出弁が配置されている
請求項１記載の蓄電素子の製造方法。
【請求項３】
前記押さえ工程において、前記蓋板の長手方向の少なくとも一方の端部は、前記蓋板が押さえられることで、前記開口の内側から前記開口の周縁に向けて移動する
請求項１または２に記載の蓄電素子の製造方法。
【請求項４】
蓄電素子の容器が有する容器本体の平面開口を塞ぐための蓋板であって、
前記容器本体とは反対側に向けて凸のアーチ状である
蓄電素子の容器の蓋板。
【発明の詳細な説明】
【技術分野】
【０００１】
本発明は、容器を備える蓄電素子の製造方法、及び、蓄電素子の容器の蓋板に関する。
【背景技術】
【０００２】
従来、リチウムイオン二次電池などの蓄電素子は、例えば、容器と容器に収容された電極体とを備え、容器に配置された電極端子を介して充電及び放電する。
【０００３】
このような構造の蓄電素子では、容器は、例えば、容器本体と蓋板とで構成されており、容器本体に電極体等の要素が収容された状態で、蓋板と容器本体の開口周縁とがレーザ溶接等によって接合される。具体的には、レーザ溶接では、蓋板と容器本体の開口とのつき合せ部分（境界部分）にレーザビームを照射することで当該部分の金属を溶融し、これにより、蓋板と容器本体とが接合される。
【０００４】
このような金属溶接が行われる場合、溶融した金属内で発生したガス、または溶融した金属内に侵入したガスが外部に放出されずに残存し、その結果、凝固した金属内に空洞（例えば「ブローホール」と呼ばれる。）が生じる場合がある。
【０００５】
このような問題に対し、例えば特許文献１には、亜鉛系めっき鋼板を重ねレーザ溶接する場合において、２枚の鋼板の一方に凸部を設けることで、これら２枚の鋼板の間に所定の距離の隙間をあけ、これによりブローホールの発生を抑制できる旨が開示されている。
【先行技術文献】
【特許文献】
【０００６】
【特許文献１】特開２００９−７２７９９号公報
【発明の概要】
【発明が解決しようとする課題】
【０００７】
例えば、リチウムイオン二次電池の場合、容器の素材としては、一般に、アルミニウム合金等の、亜鉛系めっき鋼板とは異なる種類の金属が採用されており、この場合、上記従来の技術を適用することはできない。また、容器本体及び蓋板の互いに付き合わされる面の幅は狭いため、当該面に、所定の高さの微細な凸部を形成することは現実的ではない。
【０００８】
また、蓋板と容器本体との溶接を精度よく行うために、蓋板を容器本体の方向に押圧しながら溶接が行われるが、この時の押圧力が高すぎると、溶融した金属中のガスを逃すことができず、ブローホールが生じやすいという問題がある。また、当該押圧力が弱い場合は、例えば、蓋板に、容器本体の開口に沿わずに大きな隙間を形成する部分が生じ、その結果、溶接不良が発生するという問題が生じる。
【０００９】
本発明は、上記従来の課題を考慮し、容器本体と蓋板とが溶接により接合された容器を備える蓄電素子であって、品質が高い蓄電素子を製造するための製造方法、及びその蓄電素子に用いられる蓋板を提供することを目的とする。
【課題を解決するための手段】
【００１０】
上記目的を達成するために、本発明の一態様に係る蓄電素子の製造方法は、容器本体及び蓋板を有する容器を備える蓄電素子の製造方法であって、所定方向に向けて凸のアーチ状の蓋板を、前記容器本体の開口に対して、前記所定方向から押さえることで、前記蓋板を押し広げる押さえ工程と、前記押さえ工程において押し広げられた蓋板と、前記容器本体とを溶接する溶接工程とを含む。
【００１１】
この製造方法によれば、例えば容器本体の上部の開口に蓋板を溶接する場合、上方に凸にアーチ状の蓋板を、上方から押さえることで、例えば平坦となるように押し広げられ、その状態で溶接される。つまり、蓋板の弾性力によって、蓋板の両端部の間の部分（中間部）には、上方に向かおうとする反発力が生じ、かつ、アーチ状の蓋板の両端は容器本体に押し当てられる。その結果、蓋板の中間部が容器本体に対して過度に押圧されることを防止することができ、過度な押圧に起因する、ブローホール等の不具合の発生が抑制される。また、中間部が押さえられることで、両端部は容器本体に押し当てられるため、その結果、溶接時において、蓋板のズレ、または、蓋板の一部が容器本体から浮く等の問題が生じ難い。従って、容器本体と蓋板との接合の信頼性が向上され、その結果、信頼性の高い蓄電素子を得ることができる。
【００１２】
また、本発明の一態様に係る蓄電素子の製造方法において、蓋板には、長手方向の両端部の間の部分である中間部にガス排出弁が配置されているとしてもよい。
【００１３】
この製造方法によれば、アーチ状の蓋板の、押さえ工程において押さえられる部分（つまり、中間部）と容器本体との接合部分について、溶接不良等の不具合の発生の可能性が低減され、これにより例えば、接合強度が向上する。そのため、ガス排出弁が配置されることで剛性が低下した蓋板の中間部の、容器の内圧に対する耐性を向上させることができる。
【００１４】
また、本発明の一態様に係る蓄電素子の製造方法において、前記押さえ工程では、前記蓋板の長手方向の少なくとも一方の端部は、前記蓋板が押さえられることで、前記開口の内側から前記開口の周縁に向けて移動するとしてもよい。
【００１５】
この製造方法によれば、蓋板を容器本体の開口に配置する際に、蓋板の端部が、例えば開口の周縁に上方から衝突するような事態が生じないため、このような衝突に起因する、微小金属片（異物）の発生が抑制される。
【００１６】
また、本発明の一態様に係る蓄電素子の容器の蓋板は、蓄電素子の容器が有する容器本体の平面開口を塞ぐための蓋板であって、前記容器本体とは反対側に向けて凸のアーチ状である。
【００１７】
この構成によれば、蓄電素子の製造時において、容器本体の上部の平面開口に蓋板を溶接する場合、上方に凸にアーチ状の蓋板を、上方から押さえることで、平坦となるように押し広げられ、その状態で溶接される。つまり、蓋板の弾性力によって、蓋板の両端部の間の部分（中間部）には、上方に向かおうとする反発力が生じ、かつ、アーチ状の蓋板の両端は容器に押してられる。その結果、蓋板の中間部が容器本体に対して過度に押圧されることを防止することができ、過度な押圧に起因する、ブローホール等の不具合の発生が抑制される。また、中間部が押さえられることで、両端部は容器本体に押し当てられるため、その結果、溶接時において、蓋板のズレ、または、蓋板の一部が容器本体から浮く等の問題が生じ難い。従って、容器本体と蓋板との接合の信頼性が向上され、その結果、信頼性の高い蓄電素子を得ることができる。
【発明の効果】
【００１８】
本発明によれば、容器本体と蓋板とが溶接により接合された容器を備える蓄電素子であって、品質が高い蓄電素子を製造することができる。また、本発明によれば、その蓄電素子に用いられる蓋板を提供することができる。
【図面の簡単な説明】
【００１９】
【図１】実施の形態に係る蓄電素子の外観を示す斜視図である。
【図２】実施の形態に係る蓄電素子が備える容器本体及び蓋板それぞれの溶接前の状態を示す斜視図である。
【図３】実施の形態に係る蓋板の斜視図である。
【図４】実施の形態に係る蓄電素子の製造方法の一部を示す第１の図である。
【図５】実施の形態に係る蓄電素子の製造方法の一部を示す第２の図である。
【図６】実施の形態に係る蓄電素子の製造方法の一部を示す第３の図である。
【図７】実施の形態に係る蓄電素子の製造方法の一部を示す第４の図である。
【図８】実施の形態に係る蓄電素子の製造方法が含む押さえ工程の詳細を示す図である。
【発明を実施するための形態】
【００２０】
以下、図面を参照しながら、本発明の実施の形態に係る蓄電素子について説明する。なお、各図は、模式図であり、必ずしも厳密に図示したものではない。
【００２１】
また、以下で説明する実施の形態は、本発明の一具体例を示すものである。以下の実施の形態で示される形状、材料、構成要素、構成要素の配置位置及び接続形態、製造工程の順序などは、一例であり、本発明を限定する主旨ではない。また、以下の実施の形態における構成要素のうち、最上位概念を示す独立請求項に記載されていない構成要素については、任意の構成要素として説明される。
【００２２】
まず、図１及び図２を用いて、実施の形態に係る蓄電素子１０の全般的な説明を行う。
【００２３】
図１は、実施の形態に係る蓄電素子１０の外観を示す斜視図である。図２は、実施の形態に係る蓄電素子１０が備える容器本体１０１及び蓋板１１０それぞれの溶接前の状態を示す斜視図である。なお、図２では、容器１００に収容される電極体４００等の要素の図示は省略されている。
【００２４】
また、図１及び以降の図について、説明の便宜のため、Ｚ軸方向を上下方向として説明しているが、実際の使用態様において、Ｚ軸方向と上下方向とが一致しない場合もある。
【００２５】
蓄電素子１０は、電気を充電し、また、電気を放電することのできる二次電池であり、より具体的には、リチウムイオン二次電池などの非水電解質二次電池である。蓄電素子１０は、例えば、電気自動車（ＥＶ）、ハイブリッド電気自動車（ＨＥＶ）またはプラグインハイブリッド電気自動車（ＰＨＥＶ）等に適用される。
【００２６】
また、蓄電素子１０は、ＵＰＳ（無停電電源装置）、自然エネルギー貯蔵用蓄電装置、電車等の回生エネルギー貯蔵用蓄電装置（車両の内部または外部に設置されるもの）、エンジン始動用蓄電装置、またはＡＧＶ（無人搬送車）等に適用されてもよい。
【００２７】
なお、蓄電素子１０は、非水電解質二次電池には限定されず、非水電解質二次電池以外の二次電池であってもよいし、キャパシタであってもよい。また、蓄電素子１０の形状に関しては、角型に限定されることなく、例えば円筒型などの他の形状であってもよい。
【００２８】
図１及び図２に示すように、蓄電素子１０は、容器１００と、正極端子２００と、負極端子３００とを備えている。また、容器１００が有する容器本体１０１の内部には電極体４００が収容されており、容器本体１０１の開口１０２を塞ぐように蓋板１１０が配置されている。なお、図１において、電極体４００は、点線で描かれた直方体によって概念的に表されており、電極体４００の形状及びサイズは、図１に示される形状およびサイズに限定されない。
【００２９】
容器１００は、矩形筒状で底を備える容器本体１０１と、容器本体１０１の開口１０２を塞ぐように取り付けられる板状部材である蓋板１１０とで構成されている。また、容器１００は、電極体４００等を内部に収容後、蓋板１１０と容器本体１０１とが溶接されることにより、内部を密封する構造を有している。
【００３０】
具体的には、開口１０２を形成する容器本体１０１の端縁（図２における容器本体１０１の上端縁、以下「開口１０２を形成する端縁」という。）は、本実施の形態では、１つのＸＹ平面内に配置されており、これにより、開口１０２は、容器本体１０１において、平面開口として存在する。本実施の形態では、この開口１０２に対して、容器本体１０１とは反対側に凸のアーチ状の蓋板１１０が押し広げられて溶接される。この溶接の工程については、図３〜図８を用いて後述する。なお「平面」という場合、完全な平面だけでなく略平面も含まれる。
【００３１】
また、蓋板１１０及び容器本体１０１の素材としては、例えばステンレス鋼、アルミニウム、またはアルミニウム合金など溶接可能な金属が採用される。
【００３２】
蓋板１１０の中間部には、ガス排出弁１７０が備えられている。ガス排出弁１７０は、容器１００の内圧が上昇した場合に開放し、容器１００の内部のガスを放出する安全機構として、蓄電素子１０に備えられている。
【００３３】
なお、蓋板１１０の中間部とは、蓋板１１０の長手方向（本実施の形態ではＸ軸方向）の両端部の間の部分である。例えば、蓋板１１０の中間部は、蓋板１１０における正極端子２００及び負極端子３００の間の部分である、と規定することができる。また、蓋板１１０の中間部は、側面視（Ｙ軸方向から見た場合）において、ガス排出弁１７０のＸ軸方向における全長を含む部分である、と規定することもできる。
【００３４】
電極体４００は、正極板と負極板とセパレータとを備え、電気を蓄えることができる部材である。本実施の形態では、正極板及び負極板がセパレータを挟んで巻回されることで形成された巻回型の電極体４００が蓄電素子１０に備えられている。また、電極体４００は、例えば、巻回軸が、蓋板１１０と容器本体１０１の底面とを結ぶ方向、つまり、本実施の形態におけるＺ軸方向に平行となる姿勢で、容器本体１０１に収容されている。
【００３５】
正極端子２００は、正極集電体（図示せず）を介して電極体４００の正極と電気的に接続された電極端子である。負極端子３００は、負極集電体（図示せず）を介して電極体４００の負極と電気的に接続された電極端子である。つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。
【００３６】
また、正極端子２００は、蓋板１１０に、絶縁性を有するガスケット１２５を介して取り付けられており、負極端子３００は、蓋板１１０に、絶縁性を有するガスケット１３５を介して取り付けられている。また、蓋板１１０を挟んでガスケット１２５及び１３５それぞれの裏側（Ｚ軸方向マイナス側）にも、図示しないガスケットが配置されている。
【００３７】
なお、蓄電素子１０は、上記の構成要素の他、容器１００内の空間を埋めるスペーサ、及び電極体４００等を包み込む絶縁フィルムなどを備えてもよい。また、蓄電素子１０の容器１００の内部には電解液（非水電解質）などの液体が封入されているが、当該液体の図示は省略する。容器１００に封入される電解液としては、蓄電素子１０の性能を損なうものでなければその種類に特に制限はなく、様々なものを選択することができる。
【００３８】
ここで、蓋板１１０は、容器本体１０１に溶接される前の時点では、所定の方向（本実施の形態では上方（Ｚ軸方向プラス側））に凸のアーチ状の形状を有しており、これにより、蓋板１１０と容器本体１０１との溶接箇所の信頼性が向上されている。このことを、図３〜図８を用いて説明する。
【００３９】
図３は、実施の形態に係る蓋板１１０の斜視図である。図４〜図７は、実施の形態に係る蓄電素子１０の製造方法の一部を示す第１〜第４の図である。図８は、実施の形態に係る蓄電素子１０の製造方法が含む押さえ工程の詳細を示す図である。なお、図４〜図８では、容器本体１０１に収容される電極体４００等の要素、及び蓋板１１０の裏側に配置されたガスケット等の要素についての図示は省略されている。
【００４０】
図３及び図４に示すように、実施の形態に係る蓋板１１０は、上方（容器本体１０１とは反対側）に凸のアーチ状である。つまり、実施の形態に係る蓋板１１０は、長手方向における、両端部の間の部分である中間部が上方に盛り上がるアーチ状（湾曲状）に形成されている。
【００４１】
また、蓋板１１０の中間部には、ガス排出弁１７０が設けられており、ガス排出弁１７０を挟んで２つの貫通孔１１０ａ及び１１０ｂが配置されている。
【００４２】
ガス排出弁１７０は、上述のように、容器１００の内圧が上昇した場合に開放する機構であり、例えば、アーチ状の蓋板１１０を成形する際のプレス加工によって蓋板１１０に設けられる。具体的には、蓋板１１０の材料である金属板の一部がプレス加工によって薄肉化されることで、ガス排出弁１７０が形成される。なお、ガス排出弁の態様に特に限定はなく、例えば、蓋板１１０とは別体の金属板を、蓋板１１０に設けられた孔を塞ぐように配置することで、ガス排出弁が蓋板１１０に設けられてもよい。
【００４３】
貫通孔１１０ａは、正極端子２００の軸部を貫通させる孔であり、貫通孔１１０ｂは、負極端子３００の軸部を貫通させる孔である。貫通孔１１０ａを貫通した状態の正極端子２００の軸部は、かしめ等によって正極集電体と接続される。貫通孔１１０ｂを貫通した状態の負極端子３００の軸部は、かしめ等によって負極集電体と接続される。正極集電体は、電極体４００の正極と溶接等によって接続され、負極集電体は、電極体４００の負極と溶接等によって接続される。
【００４４】
このようにして、電極体４００と接続された蓋板１１０は、例えば、電極体４００等の要素が容器本体１０１に収容されるとともに、開口１０２を塞ぐように配置される。
【００４５】
つまり、蓋板１１０は、例えば、図４に示すように開口１０２の上方から開口１０２に向けて移動され、図５に示すように、開口１０２に載置され、さらに、所定の治具によって上方から押圧される。
【００４６】
つまり、容器本体１０１とは反対側の方向（上方）に凸のアーチ状の蓋板１１０の中間部に対し、容器本体１０１の方向（下方）への押圧力が作用する。その結果、蓋板１１０は、図５及び図６に示すように、押し広げられる（押さえ工程）。
【００４７】
ここで、アーチ状の蓋板１１０は、弾性変形しながら押し広げられるため、蓋板１１０の、押圧力が作用する中間部では、上方への反発力が生じる。なお、図６では、上向きの点線矢印により上方への反発力を模式的に表している。
【００４８】
そのため、例えば蓋板１１０の中間部が、容器本体１０１の開口１０２（より詳細には、開口１０２を形成する端縁）に近接または接触する程度に、蓋板１１０を押さえることで、蓋板１１０の中間部の、開口１０２を形成する端縁に対する押圧力を、ほぼゼロまたはごく低い値とすることができる。つまり、蓋板１１０の、押さえられる部分である中間部が、容器本体１０１に対して、過度に押圧されることなく、かつ、適切な溶接が可能な程度に近接または接触した状態が作り出される。
【００４９】
なお、蓋板１１０の中間部の、開口１０２を形成する端縁に対する押圧力が、ほぼゼロまたはごく低い値となる状態を実現するために、押さえ工程における蓋板１１０を押さえる力が実験等によって決定されてもよい。
【００５０】
さらに、蓋板１１０の、中間部の両側の端部（両端部）のそれぞれは、直接的には、押圧されていないが、中間部が下方に押さえられることで生じる蓋板１１０の弾性力によって、開口１０２を形成する端縁に押し当てられる。これにより、蓋板１１０の両端部についても適切な溶接が可能な状態が形成される。なお、図６では、下向きの点線矢印により下方への弾性力を模式的に表している。
【００５１】
また、押さえ工程における蓋板１１０の弾性変形の前後において、蓋板１１０に配置された正極端子２００及び負極端子３００と、電極体４００との接続が問題なく維持されるように、当該接続には遊び（余裕）が持たされている。
【００５２】
このように、蓋板１１０が、容器本体１０１の開口１０２に沿って押し広げられた状態で、蓋板１１０と容器本体１０１との溶接がなされる（溶接工程）。つまり、図７に示すように、蓋板１１０と容器本体１０１とのつき合せ部分（蓋板１１０と容器本体１０１との境界部分）に沿って、例えばレーザビームＬが照射される。これにより、蓋板１１０が、容器本体１０１に溶接され、容器本体１０１の開口１０２が、蓋板１１０によって封止された状態が形成される。
【００５３】
以上説明したように、本実施の形態に係る蓄電素子１０の製造方法は、所定方向に向けて凸のアーチ状の蓋板１１０を、容器本体１０１の開口１０２に対して、当該所定方向から押さえることで、蓋板１１０を押し広げる押さえ工程と、押さえ工程において押し広げられた蓋板１１０と、容器本体１０１とを溶接する溶接工程とを含む。なお、本実施の形態に係る蓋板１１０は、蓄電素子１０の容器１００が有する容器本体１０１の平面開口である開口１０２を塞ぐための蓋板１１０であって、容器本体１０１とは反対側に向けて凸のアーチ状である、と表現できる。
【００５４】
本実施の形態では、容器本体１０１の上部に開口１０２が設けられており、上方に凸にアーチ状の蓋板１１０を上方から押さえることで、開口１０２に応じて平坦となるように押し広げられ、その状態で蓋板１１０と容器本体１０１とが溶接される。
【００５５】
つまり、蓋板１１０の弾性力によって、アーチ状の蓋板１１０の両端は容器本体１０１に押し当てられ、かつ、蓋板１１０の中間部には、上方に向かおうとする反発力が生じる。その結果、蓋板１１０の中間部が容器本体１０１に対して過度に押圧されることを防止することができる。これにより、蓋板１１０の中間部と容器本体１０１との溶接の際に、溶融した金属中のガスを逃しやすい環境が形成され、その結果、ブローホールの発生が抑制される。
【００５６】
また、蓋板１１０の中間部が押さえられることで、蓋板１１０の両端部は弾性力によって容器本体１０１に押し当てられるため、溶接時において、蓋板１１０のズレ、または、蓋板１１０の一部が容器本体１０１から浮く等の問題が生じ難い。その結果、蓋板１１０の両端部についても、容器本体１０１と適切に溶接される。
【００５７】
ここで、仮に、平板状の蓋板で容器本体１０１の開口１０２を塞ぐ場合、現実的には蓋板にランダムにゆがみが存在する場合もあり、このゆがみを矯正するためには、容器本体１０１との溶接の際に、蓋板の全体を比較的に大きな力で押さえる必要がある。このことはブローホール発生の要因となる。
【００５８】
しかしながら、本実施の形態では、上方に凸のアーチ状の蓋板１１０の中間部を押さえることで、蓋板１１０は、容器本体１０１の開口１０２に応じた形状になるように押し広げられる。これにより、例えば、蓋板１１０の全体を大きな力で押さえることなく、蓋板１１０と容器本体１０１との間の距離（０である場合も含む）を、蓋板１１０の周縁部の全域にわたって、溶接に適した距離にすることができる。
【００５９】
以上のように、本実施の形態に係る蓄電素子１０の製造方法によれば、容器本体１０１と蓋板１１０とが溶接により接合された容器１００を備える蓄電素子１０であって、品質が高い蓄電素子１０を製造することができる。
【００６０】
また、本実施の形態において、蓋板１１０には、長手方向の両端部の間の部分である中間部にガス排出弁１７０が配置されている。
【００６１】
ガス排出弁１７０は、上述のように、例えば蓋板１１０の材料である金属板の一部が薄肉化されることで形成されるため、ガス排出弁１７０の配置領域は、蓋板１１０の中でも剛性が低い部分であるといえる。
【００６２】
その一方で、本実施の形態では、上述のように、アーチ状の蓋板１１０の、押さえ工程において押さえられる中間部と容器本体１０１との溶接箇所について、溶接不良等の不具合の発生の可能性が低減され、これにより例えば、接合強度が向上する。その結果、ガス排出弁１７０が配置されることで剛性が低下した蓋板１１０の中間部の、容器１００の内圧に対する耐性を向上させることができる。このことは、例えば、ガス排出弁１７０の正常な動作の保証という観点からも重要である。
【００６３】
また、本実施の形態に係る蓄電素子１０の製造方法では、より詳細には、押さえ工程において、蓋板１１０の長手方向の端部は、開口１０２の内側から周縁に向けて移動している。このことによる効果等について、図８を用いて説明する。
【００６４】
図８は、実施の形態に係る蓄電素子１０の製造方法が含む押さえ工程の一部の詳細を説明する図である。なお、図８において、容器本体１０１の内部の要素は点線で図示されている。
【００６５】
本実施の形態に係る蓋板１１０は、上述のように、上方に凸のアーチ状であり、押さえ工程で押さえられた状態で、容器本体１０１の開口１０２が塞がれるサイズに設計及び製造されている。そのため、押さえ工程の前における、蓋板１１０の長手方向（本実施の形態ではＸ軸方向）の長さは、容器本体１０１のＸ軸方向の幅よりも小さい。より具体的には、押さえ工程の前における、蓋板１１０の、容器本体１０１の開口１０２に嵌められる嵌合部１１８のＸ軸方向における幅は、容器本体１０１の開口１０２のＸ軸方向の幅（Ｘ軸方向で対向する内面１０２ａ間の距離）よりも小さい。
【００６６】
そのため、例えば上述の図４及び図５に示すように、蓋板１１０を、容器本体１０１に対して配置する際に、蓋板１１０のＸ軸方向の中央と、容器本体１０１のＸ軸方向の中央とがほぼ一致するように配置され、その後、押さえ工程がなされる。
【００６７】
従って、図８の（ａ）及び（ｂ）に示すように、蓋板１１０の端部１１１は、蓋板１１０が押さえられることで、開口１０２の内側から開口１０２の周縁１０２ｂ（内面１０２ａの上端）に向けて移動する。これにより、蓋板１１０の嵌合部１１８における角部１１８ａと、開口１０２の周縁１０２ｂとが衝突することによる異物の発生が抑制される。
【００６８】
ここで、仮に、平板状の蓋板で容器本体１０１の開口１０２を塞ぐように配置した場合、蓋板の嵌合部における角部は、開口１０２の周縁１０２ｂに向けて上方から移動してくるため、嵌合部の角部と、開口１０２の周縁１０２ｂとが衝突する可能性がある。また、嵌合部の角部、及び、開口１０２の周縁１０２ｂは、いずれも板状の部材の角の部分であるため、これらが衝突した場合、ともに欠けやすい。すなわち、平板状の蓋板を、容器本体１０１の開口１０２を塞ぐように配置した場合、蓋板または容器本体１０１に欠けが生じる可能性、すなわち、異物としての微小な金属片が発生する可能性がある。このような微小な金属片は、例えば、電極体４００における内部短絡の要因ともなる。また、蓋板の嵌合部の平面視（Ｚ軸方向プラス側から見た場合）におけるサイズを小さくすることで、開口１０２の周縁１０２ｂと、嵌合部の角部との衝突を避けることも考えられるが、このような対策は、容器本体１０１に対する蓋板の位置規制という観点からは現実的ではない。
【００６９】
この点に関して、本実施の形態では、蓋板１１０が、容器本体１０１に対して配置される際は、図８の（ａ）に示すように、蓋板１１０の嵌合部１１８の角部１１８ａは、容器本体１０１の開口１０２の周縁１０２ｂからＸ軸方向に離れた位置に置かれる。そのため、蓋板１１０を容器本体１０１に対して配置する際において、金属部材同士が衝突することによる微小な金属片の発生は抑制される。
【００７０】
その後、上述のように、蓋板１１０の中間部が押さえられることで、蓋板１１０の形状は、開口１０２に沿って平坦にされる。この際、図８の（ａ）及び（ｂ）に示すように、蓋板１１０の嵌合部１１８の角部１１８ａは、容器本体１０１の開口１０２の内側から、周縁１０２ｂに向かって移動する。なお、図８の（ａ）及び（ｂ）では、蓋板１１０の左側の端部１１１について図示しているが、蓋板１１０の右側の端部も同様に、容器本体１０１の開口１０２の内側から、右側の周縁に向かって移動する。このようにして、押し広げられた蓋板１１０は、蓋板１１０の嵌合部１１８が、容器本体１０１の内面１０２ａに当接することで正規の位置からのずれが防止される。その後、図７を用いて説明したように、蓋板１１０と容器本体１０１と溶接される。
【００７１】
（他の実施の形態）
以上、本発明に係る蓄電素子について、実施の形態に基づいて説明した。しかしながら、本発明は、上記実施の形態に限定されるものではない。本発明の趣旨を逸脱しない限り、当業者が思いつく各種変形を上記実施の形態に施したものも、あるいは、上記説明された複数の構成要素を組み合わせて構築される形態も、本発明の範囲内に含まれる。
【００７２】
例えば、上記実施の形態に係る蓋板１１０は、長手方向（Ｘ軸方向）における中間部が両端部よりも突出したアーチ状である。しかし、蓄電素子１０が備える蓋板は、押さえ工程の前の状態において、短手方向（Ｙ軸方向）における中間部が両端部よりも突出したアーチ状であってもよい。また、蓋板１１０は、平面視において略矩形状でなくてもよい。例えば、平面視において、楕円、円、長円形、または矩形以外の多角形など、略矩形以外の形状の蓋板が、蓄電素子が備える蓋板として採用されてもよい。
【００７３】
つまり、容器本体とは反対側に凸のアーチ状の蓋板であれば、押さえ工程において、蓋板を容器本体の方向に押さえることで、蓋板を押し広げることができる。その結果、図６を用いて説明したように、蓋板に生じる弾性力（バネ力）を利用して、蓋板と容器本体とのつき合せ部分における適切な押圧状態を作り出すことができる。これにより、蓋板と容器本体との溶接部分におけるブローホールの発生は抑制される。
【００７４】
また、ガス排出弁１７０が、蓋板１１０の中間部に配置されていることは必須ではない。長尺状の蓋板１１０における長手方向の中間部は、容器１００の内圧が上昇した場合に、その内圧を受けて変位または変形が生じやすい部分である、ということもできる。そのため、蓋板１１０の中間部にガス排出弁１７０が存在していない場合であっても、上述のように、中間部において十分な接合強度を得ることで、蓄電素子１０全体としての信頼性は向上される。
【００７５】
また、蓋板１１０に、電極端子（２００、３００）が配置されていなくてもよい。つまり、容器本体１０１の５つの面のいずれかに電極端子（２００、３００）が配置されていてもよい。この場合であっても、蓋板１１０の、押さえ工程の前における形状がアーチ状であることによる、ブローホールの発生の抑制等の効果は奏される。
【００７６】
また、蓄電素子１０が備える巻回型の電極体４００の姿勢に特に限定はない。例えば、巻回軸が、蓋板１１０の長手方向（Ｘ軸方向）に平行となる姿勢で、容器本体１０１に収容されていてもよい。
【００７７】
また、蓄電素子１０が備える電極体は巻回型である必要はない。蓄電素子１０は、例えば平板状極板を積層した積層型の電極体、または、長尺帯状の極板を山折りと谷折りとの繰り返しによって蛇腹状に積層した構造を有する電極体を備えてもよい。
【００７８】
また、本発明は、上記説明された蓄電素子として実現することができるだけでなく、当該蓄電素子が備える蓋板として実現することができる。
【産業上の利用可能性】
【００７９】
本発明は、リチウムイオン二次電池などの蓄電素子等に適用できる。
【符号の説明】
【００８０】
１０  蓄電素子
１００  容器
１０１  容器本体
１０２  開口
１０２ａ  内面
１０２ｂ  周縁
１１０  蓋板
１１０ａ、１１０ｂ  貫通孔
１１１  端部
１１８  嵌合部
１１８ａ  角部
１２５、１３５  ガスケット
１７０  ガス排出弁
２００  正極端子
３００  負極端子
【図１】
2017191683.tif 000003
【図２】
2017191683.tif 000004
【図３】
2017191683.tif 000005
【図４】
2017191683.tif 000006
【図５】
2017191683.tif 000007
【図６】
2017191683.tif 000008
【図７】
2017191683.tif 000009
【図８】
2017191683.tif 000010